(57)【要約】【課題】  アパートの部屋に設備された電気機器を安価な費用で遠隔操作できるシステムを提供する。【解決手段】  遠隔操作システム１は、アパートの居住者が操作する携帯端末２と、居住者の部屋３に設備された電気機器９をインターネット５に遠隔操作可能に接続するＷｅｂインターフェイス機器４と、インターネット５上のＷｅｂサイトに広告情報を掲載する広告主サーバ６とを備えている。広告主サーバ６には、アパートと居住者の認証情報を管理するユーザー登録部１１と、Ｗｅｂインターフェイス機器４のＩＰアドレスを管理するアドレス管理部１２と、広告情報を載せたＷｅｂページを用いて携帯端末２からのアクセスをＷｅｂインターフェイス機器４に中継するアクセス中継部１３とが設けられている。【選択図】  図１
2009278228.tif 000002
【特許請求の範囲】
【請求項１】
アパートの居住者が操作する携帯端末と、居住者の部屋に設備された電気機器をインターネットに遠隔操作可能に接続するＷｅｂインターフェイス機器と、インターネット上のＷｅｂサイトに広告情報を掲載する広告主サーバとからなり、
広告主サーバが、アパートと居住者の認証情報を管理するユーザー管理部と、Ｗｅｂインターフェイス機器のＩＰアドレスを管理するアドレス管理部と、広告情報を載せたＷｅｂページを用いて携帯端末からのアクセスをＷｅｂインターフェイスに中継するアクセス中継部とを備えたことを特徴とするアパートの電気機器遠隔操作システム。
【請求項２】
前記アクセス中継部が、Ｗｅｂサイト上に公開する汎用広告情報を載せたユーザー認証用Ｗｅｂページと、認証済み居住者を対象とする専用広告情報を載せたユーザー専用Ｗｅｂページとを生成することを特徴とする請求項１記載のアパートの電気機器遠隔操作システム。
【発明の詳細な説明】
【技術分野】
【０００１】
この発明は、アパートの居住者が携帯端末を使用し、インターネットを介してアパートの部屋に設備された電気機器を遠隔操作するシステムに関する。
【背景技術】
【０００２】
近年、アパートの付加価値を高めるために、携帯電話とインターネットを組み合わせ、居住者が外出先から自身の部屋に設備された照明装置やエアコン等の電気機器を遠隔操作できるようにしたシステムが開発されている。この種のシステムでは、遠隔操作を受ける部屋をＩＰアドレスで特定する必要があるが、ＩＰアドレスを固定（固定ＩＰアドレス）したインターネット接続サービスは高額なため、居住者の費用負担が増える。
【０００３】
そこで、従来、ＩＰアドレスが変動する（動的ＩＰアドレス）インターネット接続サービスを利用するシステムが提案されている。例えば、特許文献１には、図３に示すように、携帯電話５１からダイナミックＤＮＳサーバ５２を経由してＷｅｂインターフェイス機器５３にアクセスし、コントローラ５４を介して電気機器５５を遠隔操作するシステムが記載されている。
【特許文献１】特開２００７−２８１７７８
【発明の開示】
【発明が解決しようとする課題】
【０００４】
しかしながら、ダイナミックＤＮＳサーバ５２を経由するシステムも、やはり、このサーバ５２を管理するインターネット接続専門業者からサービスを受ける必要がある。このため、アパートに遠隔操作システムを導入するにあたり、家賃やアパートの維持管理費が高くなり、居住者またはアパート経営者の負担が増えるという問題点があった。
【０００５】
そこで、本発明の目的は、アパートの部屋に設備された電気機器を安価な費用で遠隔操作できるシステムを提供することにある。
【課題を解決するための手段】
【０００６】
上記課題を解決するために、本発明の電気機器遠隔操作システムは、アパートの居住者が操作する携帯端末と、居住者の部屋に設備された電気機器をインターネットに遠隔操作可能に接続するＷｅｂインターフェイス機器と、インターネット上のＷｅｂサイトに広告情報を掲載する広告主サーバとからなり、広告主サーバが、アパートと居住者の認証情報を管理するユーザー管理部と、Ｗｅｂインターフェイス機器のＩＰアドレスを管理するアドレス管理部と、広告情報を載せたＷｅｂページを用いて携帯端末からのアクセスをＷｅｂインターフェイス機器に中継するアクセス中継部とを備えたことを特徴とする。
【０００７】
また、本発明の電気機器遠隔操作システムは、アクセス中継部が、Ｗｅｂサイト上に公開する汎用広告情報を載せたユーザー認証用Ｗｅｂページと、認証済み居住者を対象とする専用広告情報を載せたユーザー専用Ｗｅｂページとを生成することを特徴とする。
【発明の効果】
【０００８】
本発明の遠隔操作システムによれば、携帯端末から広告主サーバを中継して電気機器を遠隔操作するので、居住者やアパート経営者の費用負担を軽減でき、かつ、広告主の宣伝効果を高めることができる。
【発明を実施するための最良の形態】
【０００９】
以下、本発明の実施形態を図１及び図２を参照して説明する。図１は、アパートの部屋に設備された電気機器を遠隔操作するためのシステムを示す。この遠隔操作システム１は、アパートの居住者が操作する携帯電話、ノートパソコン、ＰＤＡ等の携帯端末２と、居住者の部屋３に設置されたＷｅｂインターフェイス機器４と、インターネット５上のＷｅｂサイトに広告情報を掲載する広告主サーバ６とを備えている。
【００１０】
Ｗｅｂインターフェイス機器４は、モデムやルータ等の接続機器７を介してインターネット５に接続されるとともに、コントローラ８を介して照明器具、エアコン、ＡＶ機器等の電気機器９に接続されている。そして、Ｗｅｂインターフェイス機器４にＷｅｂブラウザが搭載され、電気機器９の動作状態を常時監視し、携帯端末２からの操作指令をコントローラ８に伝送して、電気機器９を遠隔操作できるようになっている。
【００１１】
広告主サーバ６は、専用のダイナミックＤＮＳサービスを利用しない一般的なＷｅｂサーバであって、広告主またはその代理人によって管理される。広告主サーバー６には、アパートと居住者の認証情報を管理するユーザー管理部１１と、Ｗｅｂインターフェイス機器４の動的ＩＰアドレスを管理するアドレス管理部１２と、広告情報を載せたＷｅｂページを用いて携帯端末２からのアクセスをＷｅｂインターフェイス機器４に中継するアクセス中継部１３とが設けられている。
【００１２】
Ｗｅｂインターフェイス機器４は、広告主サーバ６に定期的にアクセスし、自機のＩＤ情報と接続機器７の動的ＩＰアドレス情報とを広告主サーバ６に送信する。広告主サーバ６のアドレス管理部１２は、ＩＰ管理プログラムを実行し、Ｗｅｂインターフェイス機器４から取得した動的ＩＰアドレス情報とユーザー管理部１１に登録された認証情報とを連携させ、アクセス中継部１３にアクセス元の居住者が住む部屋３のＷｅｂインターフェイス機器４を認識させる。
【００１３】
図２は、携帯端末２の表示部２ａに表示されるＷｅｂページを例示する。ユーザー（アパート居住者）は、電気機器９の遠隔操作にあたり、まず、携帯端末２を使用して広告主サーバ６にアクセスし、広告主サーバ６から図２（ａ）に示すようなユーザー認証用Ｗｅｂページ２１を受信する。このＷｅｂページ２１には、画面の広範囲にＷｅｂサイト上に公開する汎用広告情報２２が掲載され、画面の片隅にアパート居住者用のＩＤ入力部２３とログインボタン２４とが配置されている。
【００１４】
次に、ユーザーは汎用広告情報２２を閲覧し、必要に応じ、リンク（図示略）を選択して別のＷｅｂページにアクセスし、広告主の企業情報や製品情報等を閲覧する。続いて、ユーザーは登録済みのＩＤをＩＤ入力部２３に入力し、ログインボタン２４を押し、図２（ｂ）に示すようなユーザー専用Ｗｅｂページ３１にログインする。このとき、広告主サーバ６はユーザー管理部１１の情報に基づき、入力されたＩＤと一致する専用Ｗｅｂページ３１を生成し、これをアクセス元ユーザーの携帯端末２に送信する。
【００１５】
ユーザー専用Ｗｅｂページ３１には、認証済みのユーザーを対象とする専用広告情報３２と、遠隔操作用のリンクボタン３３とが設けられている。ユーザーは自身に提供された専用広告情報３２を閲覧した後に、リンクボタン３３を押す。リンクボタン３３には、アドレス管理部１２から得たアパートの部屋３の動的ＩＰアドレス情報が埋め込まれているので、ユーザーはこのボタン３３を押すことによって、自分の部屋３に設置されたＷｅｂインターフェイス機器４のログイン画面にジャンプすることができる。
【００１６】
図２（ｃ）に示すように、Ｗｅｂインターフェイス機器４のログイン画面４１には、電気機器９の遠隔操作メニュー４２と実行ボタン４３とが用意されている。したがって、ユーザーは遠隔操作メニュー４２上で照明器具やエアコン等のＯＮ／ＯＦＦを選択し、または調光出力や温度調節を行い、実行ボタン４３を押すことで、外出先から自分の部屋３の電気機器９を簡便に遠隔操作することができる。
【００１７】
この実施形態の遠隔操作システム１によれば、携帯端末２から広告主サーバ６を中継して電気機器９を遠隔操作するので、遠隔操作に必要なＷｅｂインターフェイス機器４等の設備費を広告主に負担してもらい、居住者やアパート経営者の費用負担を軽減できる。広告主は、アパート居住者をＷｅｂサイトの固定ユーザーとして確保し、多くのユーザーに自社広告を長期間継続的に閲覧してもらい、設備費に見合った高い宣伝効果を期待できる。特に、ユーザー専用Ｗｅｂページ３１の専用広告情報３２により、ターゲットを絞った効果的な宣伝を行うことができる。
【００１８】
なお、広告主サーバ６を広告媒体社やメディアレップ等のサーバオーナーが管理することもできる。サーバオーナーを利用すると、広告主が変更するごとにユーザーが接続するサーバを変更する必要がなく、ユーザーの個人情報をサーバオーナーの一社で安全に保護・管理でき、また、サーバオーナーのＷｅｂサイト上に複数の広告主へのリンクを張ることもできる。その他、本発明は上記実施形態に限定されるものではなく、発明の趣旨を逸脱しない範囲で、適宜に変更して実施することも可能である。
【図面の簡単な説明】
【００１９】
【図１】本発明の一実施形態を示す遠隔操作システムのブロック図である。
【図２】携帯端末に表示されるＷｅｂページの模式図である。
【図３】従来の遠隔操作システムを示すブロック図である。
【符号の説明】
【００２０】
１    遠隔操作システム
２    携帯端末
３    部屋
４    Ｗｅｂインターフェイス機器
６    広告主サーバ
９    電気機器
１１    ユーザー管理部
１２    アドレス管理部
１３    アクセス中継部
２１    ユーザー認証用Ｗｅｂページ
２２    汎用広告情報
３１    ユーザー専用Ｗｅｂページ
３２    専用広告情報
４１    Ｗｅｂインターフェイス機器のログイン画面
【図１】
2009278228.tif 000003
【図２】
2009278228.tif 000004
【図３】
2009278228.tif 000005